(57)【要約】      （修正有）【課題】水滴落下防止の回転スプレー装置を提供する。【解決手段】放水管２２と、減速ギアセットと、回転部と、ノズルとを備え、回転部で駆動シャフトを動かし、減速ギアセットによって放水管を連動させ、筐体の上で回転させるように設けられ、スプレー器は筐体内に設けられ、筐体の上には外部に通じ、スプレー器の送水管を接続するのに供される連結送水通路１１が設けられ、筐体には更に、スプレー器の放水管が貫通するのに供される放水管貫通孔１３が設けられ、放水管２２は筐体１を貫通してから、スプレーヘッドセット２６に接続するように設けられ、筐体の低いところには、排水口１２が設けられる。【選択図】図１
0003225199.tif 000002
【実用新案登録請求の範囲】
【請求項１】
スプレー器の筐体における対向した両側には相互に通じる送水管と放水管と、筐体内には筐体から突出された駆動シャフトに駆動される減速ギアセットと、筐体から突出された駆動シャフトに設けられる回転部と、筐体を貫通した送水管に接続され、前記回転部に向かって柱状水を噴出するためのノズルとを備えてなり、回転部で駆動シャフトを動かし、減速ギアセットによって放水管を連動させ、筐体の上で回転させるように設けられ、前記スプレー器は筐体内に設けられ、前記筐体の上には外部に通じ、スプレー器の送水管を接続するのに供される連結送水通路が設けられ、筐体には更に、スプレー器の放水管が貫通するのに供される放水管貫通孔が設けられ、放水管は筐体を貫通してから、スプレーヘッドセットに接続するように設けられ、前記筐体の低いところには、排水口が設けられることを特徴とする水滴落下防止の回転スプレー装置。
【請求項２】
前記筐体には更に、連結送水通路と通じ、外部に通じる並列送水通路が設けられることを特徴とする請求項１に記載の水滴落下防止の回転スプレー装置。
【請求項３】
前記筐体の低いところには、排水継手部が設けられることを特徴とする請求項１に記載の水滴落下防止の回転スプレー装置。
【考案の詳細な説明】
【技術分野】
【０００１】
本実用新案は、水滴落下防止の回転スプレー装置に関わり、高圧水を注入するための送水管と、高圧水を放出するための放水管によって、ノズルから回転部に噴出、回転させて、放水管を回転させるように設けられるスプレー器は、筐体内に設けられ、それと同時に、高圧水が筐体を経て送水管へと流れ込み、筐体を貫通した放水管にスプレーヘッドセットが設けられ、筐体内の低いところには排水口が設けられ、回転部に噴射して回転させられた水は、筐体に収集され、排水口から回收再利用可能なもので、スプレー装置の有する噴霧效果にマイナスな影響を及ぼさないように設けられるものに関する。  
【背景技術】
【０００２】
大面積の環境で、熱の吸収や温度下げに適した回轉式スプレー装置は、高圧水を自己回転のスプレー装置によって、水を連続回転させ、ミスト状に噴射するように設けられ、既有特許、例えば中国台湾公開番号３３７０５８、１９０７３７、１８０３５８、１６２５７８、１４６２９２、１２６８５８、１１０２０５、０９０３６４などの既有技術的特許が挙げられ、その中、中国台湾公開番号１１０２０５の特許（アドレス：  ｈｔｔｐｓ：／／ｔｗｐａｔ５．ｔｉｐｏ．ｇｏｖ．ｔｗ／ｔｉｐｏｔｗｏｃ／ｔｉｐｏｔｗｋｍ？！！ＦＲ＿１１０２０５）を例とし、高圧水をノズル６０から柱状水を噴射して、霧化回転部２０に衝撃を与え、回転させるようにし、更に、霧化回転部２０の駆動シャフト２３を回転させるように動かし、筐体１０内に設置された減速ギアセット（図番号２３，３１，５１は即ち、本案の伝動機構相当）によって、送水管５０の筐体１０を自己回転させるように連動するように設けられ、送水管５０の上端には、前記ノズル６０と、噴霧ヘッド７５とが接続されていることが記載されており、それを見て分かるように、霧化回転部２０は、注入された高圧水を、ノズル６０から柱状水に噴射して生じられた衝?を受けて、回転するように設けられ、筐体１０内の伝動機構の減速によって、自己回転をするようになることであり、また、中国台湾公開番号１９０７３７の特許（アドレス：ｈｔｔｐｓ：／／ｔｗｐａｔ５．ｔｉｐｏ．ｇｏｖ．ｔｗ／ｔｉｐｏｔｗｏｃ／ｔｉｐｏｔｗｋｍ？！！ＦＲ＿１９０７３７）では、筐体１０内にも減速ギアセット（例えば、図番号１２，１３，１４，１５，１６）が設けられ、減速ギアの最終減速歯車と固定軸１７に固定されるギア１７１とを噛み合わせるように設けられ、ノズル２１に噴射され、回転するようになる回転部２３で、駆動シャフト１６を回転させるように動かし、駆動シャフト１６で減速ギアセットを駆動して、最終減速歯車をギア１７１の上を回転させ、筐体１０全体を、固定軸３を中心として回転させて、更に噴霧セットを回転させ、噴霧させるように設けられる。  
【０００３】
上述した噴霧ヘッド又は噴霧セットから高圧水を噴射して生じられたミスト状水は、噴霧効果が大変よく、優れた熱の吸収効果があり、蒸発速度が速いことで、水滴となって落下するという問題がないこと、衝?回転部では、筐体全体によって噴霧セットを回転させると同時に、回転部に衝撃を与える柱状水をミスト状にし、同時回転させるように設けられるのが主な目的であり、回転部では、水の衝撃を受ける部位に関する構造設計の如何に関らず、衝撃で生じられたミスト状水は噴霧ヘッドからの噴霧より粒子径より大きく、噴霧ヘッドのように水を微細化することができず、噴霧効果が悪く、粒子径が大きくかつ均一でないため、該ミスト状水の粒子が集り、より大きなミスト状水になりがちで、物体に付着しやくなり、水滴となって落下してしまうことから、そこが、既有回轉式スプレー装置で解決できない最大な課題である。  
【０００４】
上述したスプレー装置は、周辺環境の温度を下げ、涼しくする効果があるが、ミスト状水が水滴となって、環境の地面を濡らしたり、滑らしたりする可能性になりがちで、特に屋外で食事するガーデンレストランである場合、水滴が料理の上に落ちたりしまうと、食品衛生管理などが懸念されるほかに、濡れた地面で従業員に不快感を与えると思われる。  
【先行技術文献】
【特許文献】
【０００５】
【特許文献１】台湾公開番号３３７０５８号
【特許文献２】台湾公開番号１９０７３７号
【特許文献３】台湾公開番号１８０３５８号
【特許文献４】台湾公開番号１６２５７８号
【特許文献５】台湾公開番号１４６２９２号
【特許文献６】台湾公開番号１２６８５８号
【特許文献７】台湾公開番号１１０２０５号
【特許文献８】台湾公開番号０９０３６４号
【考案の概要】
【考案が解決しようとする課題】
【０００６】
前述した回轉式スプレー装置では、柱状水を、霧化回転部に噴射して回転させて生じられたミスト状水は、高圧噴霧ヘッドによる微細化効果に達することができず、そのようなミスト状水が集まり、水滴となって落下するという問題点があることを解決するため、本実用新案では、低いところには排水口が設けられる筐体で、高圧水を注入するための送水管と、水を放出、回転させるための放水管を備えてなるスプレー器を被覆し、スプレー器の放水管が筐体を貫通して、スプレーヘッドセットに接続するように設けられ、筐体を通って、送水管へと流れ込み、回転部に噴射、回転させられた水は、筐体内に停留し、筐体の排水口から排出され、十分に微細化されないミスト状水が飛散することを防ぎ、集中排出し、回収再利用可能なほかに、噴霧された環境を濡らしたり、水滴が落下したりするという問題がないように設けられる水滴落下防止の回転スプレー装置を提供する。  
【課題を解決するための手段】
【０００７】
本実用新案の課題を解決するための技術手段として、スプレー器の筐体における対向した両側には相互に通じる送水管と放水管と、筐体内には筐体から突出された駆動シャフトに駆動される減速ギアセットと、筐体から突出された駆動シャフトに設けられる回転部と、筐体を貫通した送水管に接続され、前記回転部に向かって柱状水を噴出するためのノズルとを備えてなり、回転部で駆動シャフトを動かし、減速ギアセットによって放水管を連動させ、筐体の上で回転させるように設けられ、前記スプレー器は筐体内に設けられ、前記筐体の上には外部に通じ、スプレー器の送水管を接続するのに供される連結送水通路が設けられ、筐体には更に、スプレー器の放水管が貫通するのに供される放水管貫通孔が設けられ、放水管は筐体を貫通してから、スプレーヘッドセットに接続するように設けられ、前記筐体の低いところには、排水口が設けられることを特徴とする水滴落下防止の回転スプレー装置。  
【０００８】
前記筐体の上には更に、連結送水通路と通じ、外部に通じる並列送水通路が設けられることを特徴とする。  
【０００９】
前記筐体の低いところには、排水継手部が設けられることを特徴とする。  
【考案の効果】
【００１０】
上述した本実用新案では、スプレー器が筐体内に設けられ、回転部に噴射、回転させられた水が外部に飛散せず、筐体内に収集されることから、環境に対する噴霧效果に影響を及ぼすことなく、従来のような水滴落下という問題がなく、筐体内に収集された水が排水口から排出され、回収再利用できること。  
【図面の簡単な説明】
【００１１】
【図１】本実用新案の外観立体図を模式的に示す。
【図２】本実用新案の立体分解平面図を模式的に示す。
【図３】本実用新案の立体分解底面図を模式的に示す。
【図４】本実用新案の断面模式図を示す。
【図５】本実用新案の実施例２の外観立体図を模式的に示す。
【図６】本実用新案の実施例２の立体分解平面図を模式的に示す。
【図７】本実用新案の実施例２の立体分解底面図を模式的に示す。
【図８】本実用新案の実施例２の断面模式図を示す。
【図９】本実用新案の実施例２が並列使用される場合の模式図を示す。
【考案を実施するための形態】
【００１２】
図１〜図４に示すように、本実用新案のスプレー装置Ａは、筐体１内に設けられるスプレー器２を備えてなり、スプレー器２の放水管２２は筐体１から突出され、その先にスプレーヘッドセット２６が設けられ、筐体１には、高圧水をスプレー器２内に注入するための連結送水通路１１、筐体１の低いところには水を排出するための排水口１２が設けられる。
【００１３】
前記スプレー器２は従来の技術で作られた構造をなし、内部に減速ギアセットが設けられる筐体２０と、筐体２０内に対向した両側には相互に通じる送水管２１（即ち、背景技術におけるスプレー装置の放水管）  と放水管２２（即ち、背景技術におけるスプレー装置の送水管）と、筐体２０から突出された駆動シャフト２５と、駆動シャフト２５の突出されたところに設けられた回転部２４と、貫通された前記送水管２１には、前記回転部２４に向かって柱状水を噴出し、回転させるように設けられた、一列に並ぶノズル２３とを備えてなり、ノズル２３から噴射されて回転する回転部２４で、駆動シャフト２５を回転させるように動かし、駆動シャフト２５で、筐体２０内にある減速ギアセットを駆動して、減速ギアセットによって、放水管２２を筐体２０の上で回転させるように設けられる。簡単に言えば、前記スプレー器２に噴射され、回転するようになる回転部２４では、放水管２２を、筐体２０の上で回転させるように設けられ、筐体２０自身は固定され動かないものである。
【００１４】
前記筐体１内では、スプレー器２の送水管２１に対応したところには、外部に通じる連結送水通路１１が設けられ、送水管２１は、前記連結送水通路１１の通路口に接続するように設けられ、前記排水口１２は、筐体１の低いところに設けられ、筐体１におけるスプレー器２の放水管２２に対応したところには、前記放水管２２が貫通するのに供される放水管貫通孔１３が設けられ、放水管２２は、そこを貫通して、前記スプレーヘッドセット２６に接続するように設けられる。
【００１５】
高圧水が、筐体１の連結送水通路１１を通って、スプレー器２の送水管２１へ流れ込み、ノズル２３から噴出されて生じられた柱状水で、回転部２４を回転させ、減速ギアセットによって、放水管２２を回転させるように設けられ、それと同時に、高圧水が送水管２１を通って、放水管２２へと流れ込み、スプレーヘッドセット２６によって、外部にミスト状に散布され、周辺環境の熱を吸収し、素早く蒸発され、温度を下げることができる。前記ノズル２３から回転部２４に噴射、回転させられたミスト状水が飛散せず、筐体１に回収され、集まって水になるが、収集された水は筐体１の排水口１２から排出され、連結の配管に回収、再利用可能なもので、回転部２３に噴射、回転させられた水が外部に落下しないことから、スプレーヘッドセット２６本来の有する噴霧効果にマイナス影響を及ぼさず、水濡れの心配がなく、環境をきれいに保つことができる。
【００１６】
前記スプレー装置Ａは、縦型上向き回転、散水するように設けられ、  下向きに回転、散水する場合、図５〜図８に示すように、スプレー器２は同じく筐体１内に設けられる構造をなし、スプレー器２の放水管２２は、筐体１底面の放水管貫通孔１３を貫通して、スプレーヘッドセット２６に接続するように設けられ、筐体１底面の低いところには同じく、排水口１２が設けられ、スプレー器２の送水管２１は、筐体１頂面にある連結送水通路１１に接続されており、高圧水が外部から連結送水通路１１を通って、スプレー器２の送水管２１に流れ込み、ノズル２３から噴出されて生じられた柱状水で、回転部２４に衝撃を与えて回転させ、減速ギアセットによって、放水管２２を回転させるように設けられ、そして、高圧水が送水管２１を通って、放水管２２へと流れ込み、スプレーヘッドセット２６によって、水をミスト状に噴出することになっており、筐体１では同じく、回転部２４に噴射、回転させられた水が外部に飛散せず、回収再利用するように設けられ、スプレーヘッドセット２６の有する噴霧効果にマイナスな影響を及ぼすこなく、それと同じ目的や効果を果しており、筐体１の上には連結送水通路１１と通じる並列送水通路１４、筐体１の低いところには更に排水継手部１５が設けられる。
【００１７】
図９に示すように、スプレー装置Ａでは、連結送水通路１１と並列送水通路１４において、それぞれの給水管３を通らせ、複数のスプレー装置Ａを並列に接続して、そこに高圧水が注入されるように設けられ、スプレー装置Ａにある排水口１２と排水継手部１５において、排水管４を通らせ、それぞれのスプレー装置Ａを並列接続するようにし、回転部２４に噴射し、回転させられた水が一緒に回收再利用されるように設けられる。  
【００１８】
前記縦型上向きに回転して散水するスプレー装置Ａの構造では、筐体１の連結送水通路１１に更に、並列送水通路と排水継手部を設置して、複数の縦式上向き回転するスプレー装置Ａを、流路配管で並列接続させるように設けられる。
【符号の説明】
【００１９】
Ａ…スプレー装置
１…筐体
１１…連結送水通路
１２…排水口
１３…放水管貫通孔
１４…並列送水通路
１５…排水継手部
２…スプレー器
２１…送水管
２２…放水管
２３…ノズル
２４…回転部
２５…駆動シャフト
２６…スプレーヘッドセット
３…給水管
４…排水管
【図１】
0003225199.tif 000003
【図２】
0003225199.tif 000004
【図３】
0003225199.tif 000005
【図４】
0003225199.tif 000006
【図５】
0003225199.tif 000007
【図６】
0003225199.tif 000008
【図７】
0003225199.tif 000009
【図８】
0003225199.tif 000010
【図９】
0003225199.tif 000011